(57)【要約】【課題】表示される情報の拡大または縮小表示をする際に、その表示を見ている多数の人物の位置と距離を考慮することにより、適切な表示倍率での表示を可能とすること。【解決手段】複数の人物を含む画像を撮影する撮影部と、表示画面に情報を表示し、その表示画面の前方空間を撮影するように前記撮影部が取り付けられた表示部と、前記撮影部によって撮影された画像に含まれる複数の人物と、前記撮影部との距離をそれぞれ測定する距離測定部と、前記測定された複数の測定距離を用いて、撮影された複数の人物の位置を考慮した表示画面に表示される情報の表示倍率を決定する表示倍率決定部と、前記決定された表示倍率を適用して、表示部に表示すべき情報を表示する制御部とを備えたことを特徴とする。【選択図】図１
2009063636.tif 000002
【特許請求の範囲】
【請求項１】
複数の人物を含む画像を撮影する撮影部と、
表示画面に情報を表示し、その表示画面の前方空間を撮影するように前記撮影部が取り付けられた表示部と、
前記撮影部によって撮影された画像に含まれる複数の人物と、前記撮影部との距離をそれぞれ測定する距離測定部と、
前記測定された複数の測定距離を用いて、撮影された複数の人物の位置を考慮した表示画面に表示される情報の表示倍率を決定する表示倍率決定部と、
前記決定された表示倍率を適用して、表示部に表示すべき情報を表示する制御部とを備えたことを特徴とする表示装置。
【請求項２】
複数の人物を含む画像を撮影する撮影部と、
表示画面に情報を表示し、その表示画面の前方空間を撮影するように前記撮影部が取り付けられた表示部と、
前記撮影部によって撮影された画像に含まれる複数の人物と、前記撮影部との距離をそれぞれ測定する距離測定部と、
前記測定距離と表示情報の表示倍率との関係を規定した距離倍率テーブルを記憶した記憶部と、
予め定められた倍率決定条件に基づいて、前記測定された複数の測定距離から、表示画面に表示された情報の表示倍率を決定するための距離情報を算出し、前記距離倍率テーブルを用いて前記算出した距離情報と対応する表示情報の表示倍率を決定する表示倍率決定部と、
前記決定された表示倍率を適用して、表示部に表示すべき情報を表示する制御部とを備えたことを特徴とする表示装置。
【請求項３】
前記撮影部によって撮影された画像を用いて、その画像の中に含まれる複数の人物の部分を特定し、それぞれの人物の顔位置を認識する人物認識部をさらに備え、
前記距離測定部は、前記人物認識部によって認識された各顔位置と撮影部との距離をそれぞれ測定することを特徴とする請求項２の表示装置。
【請求項４】
前記記憶部に、前記倍率決定条件が予め記憶され、前記倍率決定条件は、前記表示倍率を決定するための距離情報を算出する複数の基準から構成されることを特徴とする請求項２の表示装置。
【請求項５】
前記表示倍率決定部は、前記距離測定部によって測定された複数の測定距離のうち、最大値を持つ測定距離を、表示倍率を決定するための距離情報とすることを特徴とする請求項２の表示装置。
【請求項６】
前記表示倍率決定部は、前記距離測定部によって測定された複数の測定距離のうち、最大値を持つ測定距離（Ｌｍａｘ）と、最小値を持つ測定距離（Ｌｍｉｎ）との平均値を、表示倍率を決定するための距離情報とすることを特徴とする請求項２の表示装置。
【請求項７】
前記表示倍率を決定するための指示入力をする選択入力部と、前記指示入力をするために必要な選択情報を表示する距離情報表示部とをさらに備え、
前記選択入力部によって、表示された選択情報のうち所望の選択情報が指示入力された場合に、前記表示倍率決定部が、その指示入力された選択情報に対応する距離情報を算出することを特徴とする請求項２の表示装置。
【請求項８】
前記距離情報表示部に表示される選択情報が、前記人物認識部が認識した人物の識別記号と、各人物に対する前記距離測定部によって測定された測定距離とを含む情報項目であり、前記選択入力部によって、人物識別記号または測定距離のいずれかが指示入力された場合、前記表示倍率決定部は指示入力された人物に対する測定距離または指示入力された測定距離そのものを、表示倍率決定のための距離情報に決定することを特徴とする請求項７の表示装置。
【請求項９】
前記距離情報表示部に表示される選択情報が、前記撮影部によって撮影された画像であり、前記選択入力部によって、撮影された画像の中に含まれる人物が指示入力された場合、前記表示倍率決定部は、指示入力された人物に対する前記距離測定部によって測定された測定距離を、表示倍率決定のための距離情報に決定することを特徴とする請求項７の表示装置。
【請求項１０】
前記選択入力部によって指示入力された選択情報に基づいて、表示部を回転させる表示角度を決定し、その決定された表示角度だけ表示部の表示画面を回転させる表示角度変更部をさらに備えることを特徴とする請求項７の表示装置。
【請求項１１】
前記表示角度は、前記人物認識部によって認識された人物ごとに決定され、その人物の顔位置と撮影部とを結ぶ直線と、表示画面に対する垂線とのなす角度であることを特徴とする請求項１０の表示装置。
【請求項１２】
前記距離情報表示部に表示される選択情報が、前記人物認識部が認識した人物の識別記号と、各人物に対する前記表示部を回転させる表示角度とを含む情報項目であり、前記選択入力部によって、表示角度が指示入力された場合、前記角度変更部は、その指示入力された表示角度だけ、表示部の表示画面を回転させることを特徴とする請求項１０の表示装置。
【請求項１３】
前記距離情報表示部に表示される選択情報が、前記人物認識部が認識した人物の識別記号と、各人物に対する前記距離測定部によって測定された測定距離と、各人物に対する前記表示部を回転させる表示角度とを含む情報項目であり、前記選択入力部によって、距離情報表示部に表示された人物の識別記号が指示入力された場合、前記表示倍率決定部は、指示入力された人物に対する測定距離を、表示倍率決定のための距離情報に決定し、前記角度変更部は、指示入力された人物に対する表示角度を、表示部の回転角度とすることを特徴とする請求項１０の表示装置。
【請求項１４】
前記撮像部が複数のカメラからなり、前記表示部の表示画面に対して異なる視野角方向から表示部を見た場合に、異なる情報が視認できるように、表示部が前記異なる情報を同時表示し、各カメラの撮影方向と前記各異なる視野角方向とが一致するように、各カメラが表示部に取り付けられ、
前記表示倍率決定部は、各カメラによって撮影された画像ごとに、それぞれの画像に含まれる人物の位置を考慮して、その画像の撮影方向と一致する視野角方向に対して表示される情報の表示倍率をそれぞれ決定することを特徴とする請求項２の表示装置。
【発明の詳細な説明】
【技術分野】
【０００１】
この発明は、表示装置に関し、特に、画面上に表示される画像等の拡大および縮小が可能な表示装置に関する。
【背景技術】
【０００２】
今日の表示装置において、その画面上に表示される文書や画像等の一部分を拡大表示したり、逆に縮小して全体表示するものが開発されている。
また、表示装置に距離センサを設置し、その距離センサで、表示画面を見る人と、その表示画面との距離を測定して、予め定義された距離−拡大率対照表を用いて、表示画面の拡大または縮小を行う画面表示情報制御装置が提案されている（特許文献１参照）。
【特許文献１】特開平１−２７７２８６号公報
【発明の開示】
【発明が解決しようとする課題】
【０００３】
しかし、大画面の表示装置を用いて、多数の参加者の前でプレゼンテーションを行う場合、各参加者と表示装置との距離は一義的に定めることはできない。すなわち、表示装置に近い参加者もいれば、表示装置から遠い位置にいる参加者もいるので、表示画面の適切な倍率を決めることが難しい。
たとえば、特許文献１に記載のものでは、表示装置の前にいる個人に適応した画面表示を行うことが可能となるように、１つの測定距離のみに基づいて表示倍率を決めているので、測定距離によって算出した拡大／縮小率は、複数の参加者を考慮したものではなく、多数の参加者の位置を考慮して柔軟に倍率を変更することは困難であった。
【０００４】
そこで、この発明は、以上のような事情を考慮してなされたものであり、表示画面を見る複数の参加者と、表示画面との距離をそれぞれ測定することにより、適切な表示倍率を算出して、画面上に表示される情報の表示倍率を変更することのできる表示装置を提供することを課題とする。
【課題を解決するための手段】
【０００５】
この発明は、複数の人物を含む画像を撮影する撮影部と、表示画面に情報を表示し、その表示画面の前方空間を撮影するように前記撮影部が取り付けられた表示部と、前記撮影部によって撮影された画像に含まれる複数の人物と、前記撮影部との距離をそれぞれ測定する距離測定部と、前記測定された複数の測定距離を用いて、撮影された複数の人物の位置を考慮した表示画面に表示される情報の表示倍率を決定する表示倍率決定部と、前記決定された表示倍率を適用して、表示部に表示すべき情報を表示する制御部とを備えたことを特徴とする表示装置を提供するものである。
これによれば、表示部から複数の人物までの距離を考慮して、表示される情報の表示倍率を容易に変更することができる。
【０００６】
また、この発明は、複数の人物を含む画像を撮影する撮影部と、表示画面に情報を表示し、その表示画面の前方空間を撮影するように前記撮影部が取り付けられた表示部と、前記撮影部によって撮影された画像に含まれる複数の人物と、前記撮影部との距離をそれぞれ測定する距離測定部と、前記測定距離と表示情報の表示倍率との関係を規定した距離倍率テーブルを記憶した記憶部と、予め定められた倍率決定条件に基づいて、前記測定された複数の測定距離から、表示画面に表示された情報の表示倍率を決定するための距離情報を算出し、前記距離倍率テーブルを用いて前記算出した距離情報と対応する表示情報の表示倍率を決定する表示倍率決定部と、前記決定された表示倍率を適用して、表示部に表示すべき情報を表示する制御部とを備えたことを特徴とする表示装置を提供するものである。
【０００７】
また、この発明は、前記撮影部によって撮影された画像を用いて、その画像の中に含まれる複数の人物の部分を特定し、それぞれの人物の顔位置を認識する人物認識部をさらに備え、前記距離測定部は、前記人物認識部によって認識された各顔位置と撮影部との距離をそれぞれ測定することを特徴とする。
さらに、前記記憶部に、前記倍率決定条件を予め記憶しておき、前記倍率決定条件は、前記表示倍率を決定するための距離情報を算出する複数の基準から構成されるようにしてもよい。
【０００８】
ここで、前記表示倍率決定部は、前記距離測定部によって測定された複数の測定距離のうち、最大値を持つ測定距離（Ｌｍａｘ）を、表示倍率を決定するための距離情報としてもよい。
また、前記表示倍率決定部は、前記距離測定部によって測定された複数の測定距離のうち、最大値を持つ測定距離（Ｌｍａｘ）と、最小値を持つ測定距離（Ｌｍｉｎ）との平均値を、表示倍率を決定するための距離情報としてもよい。
【０００９】
また、この発明は、前記表示倍率を決定するための指示入力をする選択入力部と、前記指示入力をするために必要な選択情報を表示する距離情報表示部とをさらに備え、前記選択入力部によって、表示された選択情報のうち所望の選択情報が指示入力された場合に、前記表示倍率決定部が、その指示入力された選択情報に対応する距離情報を算出するようにしてもよい。
これによれば、利用者の意思で表示倍率を決定するための距離情報を、容易に設定変更をすることができる。
【００１０】
ここで、前記距離情報表示部に表示される選択情報が、前記人物認識部が認識した人物の識別記号と、各人物に対する前記距離測定部によって測定された測定距離とを含む情報項目であり、前記選択入力部によって、人物識別記号または測定距離のいずれかが指示入力された場合、前記表示倍率決定部は指示入力された人物に対する測定距離または指示入力された測定距離そのものを、表示倍率決定のための距離情報に決定するようにしてもよい。
これによれば、利用者は、表示された情報項目を確認しながら、自らが適切と考える距離情報を選択することができる。
【００１１】
また、前記距離情報表示部に表示される選択情報が、前記撮影部によって撮影された画像であり、前記選択入力部によって、撮影された画像の中に含まれる人物が指示入力された場合、前記表示倍率決定部は、指示入力された人物に対する前記距離測定部によって測定された測定距離を、表示倍率決定のための距離情報に決定するようにしてもよい。
これによれば、利用者は、表示される撮影画像を見ながら、視覚的に自らが適切と考える距離情報を選択することができる。
【００１２】
また、この発明は、前記選択入力部によって指示入力された選択情報に基づいて、表示部を回転させる表示角度を決定し、その決定された表示角度だけ表示部の表示画面を回転させる表示角度変更部をさらに備えることを特徴とする表示装置を提供するものである。
ここで、前記表示角度は、前記人物認識部によって認識された人物ごとに決定され、その人物の顔位置と撮影部とを結ぶ直線と、表示画面に対する垂線とのなす角度である。
これによれば、複数の人物の中の特定の人物にとって最も見やすくなると考えられる方向に、表示部を回転させることができる。
【００１３】
また、前記距離情報表示部に表示される選択情報が、前記人物認識部が認識した人物の識別記号と、各人物に対する前記表示部を回転させる表示角度とを含む情報項目であり、前記選択入力部によって、表示角度が指示入力された場合、前記角度変更部は、その指示入力された表示角度だけ、表示部の表示画面を回転させることを特徴とする。
これによれば、利用者は、表示された情報項目を確認しながら、自らが適切と考える表示角度を選択することができる。
【００１４】
さらに、前記距離情報表示部に表示される選択情報が、前記人物認識部が認識した人物の識別記号と、各人物に対する前記距離測定部によって測定された測定距離と、各人物に対する前記表示部を回転させる表示角度とを含む情報項目であり、前記選択入力部によって、距離情報表示部に表示された人物の識別記号が指示入力された場合、前記表示倍率決定部は、指示入力された人物に対する測定距離を、表示倍率決定のための距離情報に決定し、前記角度変更部は、指示入力された人物に対する表示角度を、表示部の回転角度とすることを特徴とする。
これによれば、利用者は、表示された情報項目の中の人物の識別記号を指示入力するだけで、容易に、表示倍率決定のための距離情報の決定と、表示部の回転角度の決定の両方をすることができる。
【００１５】
この発明は、前記撮像部が複数のカメラからなり、前記表示部の表示画面に対して異なる視野角方向から表示部を見た場合に、異なる情報が視認できるように、表示部が前記異なる情報を同時表示し、各カメラの撮影方向と前記各異なる視野角方向とが一致するように、各カメラが表示部に取り付けられ、前記表示倍率決定部は、各カメラによって撮影された画像ごとに、それぞれの画像に含まれる人物の位置を考慮して、その画像の撮影方向と一致する視野角方向に対して表示される情報の表示倍率をそれぞれ決定することを特徴とする。
【発明の効果】
【００１６】
この発明によれば、撮影部から表示画面を見ている複数の人物までのそれぞれの距離を測定しているので、表示部に表示させる情報の倍率を、撮影された複数の人物の位置を考慮して適切と考えられる表示倍率に容易に変更することができる。
【発明を実施するための最良の形態】
【００１７】
以下、図に示す実施例に基づいて本発明を詳述する。なお、本発明はこれによって限定されるものではない。
＜この発明の表示装置の構成＞
図１に、この発明の表示装置の一実施例の構成ブロック図を示す。
この発明の表示装置は、主として、画像や文書などの情報を表示する表示部１６、表示装置の表示画面の前方空間を撮影する撮影部１２、撮影した画像の中にいる人物を認識する人物認識部１３、認識した人物と表示装置までの距離を測定する距離測定部１４、測定した距離に基づいて表示画面に表示される情報の表示倍率を決定する表示倍率決定部１５を備える。
また、主として撮影した画像２１と、測定距離と表示倍率との関係を規定した距離倍率テーブル２２と、表示倍率を決定するための条件を規定した倍率決定条件２３と、表示画面に表示される表示情報２４などを記憶する記憶部２０を備える。
【００１８】
また、距離測定部１４によって測定された距離や、表示画面に対する人物の相対位置を特定する情報（表示角度）を含む距離情報を、表示させる距離情報表示部１７を備えることが好ましい。ただし、表示部１６の一部分を、距離情報表示部１７として用いてもよい。
さらに、表示装置の表示画面を水平方向に回転させるための表示角度変更部１９を備えることが好ましい。
また、この表示装置の利用者が、表示倍率を決定するための距離情報などを自らの意思で指示入力するために、選択入力部１８を備えることが好ましい。ここで、距離情報表示部１７には、指示入力をするために必要な選択情報が表示される。
選択入力部１８としては、たとえば、キーボード，マウス，ペンなどのポインティングデバイスの他、タッチパネルを用いてもよい。
【００１９】
タッチパネルは、距離情報表示部１７の表示画面の長辺または短辺に沿ってそれぞれ配置されるＬＥＤアレイと、フォトトランジスタアレイとから構成される。
ＬＥＤアレイは、複数個のＬＥＤを並列に並べたものであり、フォトトランジスタアレイは、複数個の光電変換素子を各ＬＥＤと対向する位置に並べたもので、ＬＥＤアレイの各ＬＥＤから発光された光を検出するものである。タッチペンで、表示画面上をポイントすることにより、タッチパネル上のポイント位置を特定する。
【００２０】
表示画面が横長の長方形状であるとすると、たとえば、左側の短辺に沿ってＬＥＤアレイが配置され、右側の短辺に沿ってフォトトランジスタアレイが配置された１組のアレイグループと、上側の長辺に沿ってＬＥＤアレイが配置され、下側の長辺に沿ってフォトトランジスタアレイが配置されたもう１組のアレイグループが用いられる。
【００２１】
このようなタッチパネルでは、タッチペンを操作していないときは、ＬＥＤアレイから発光されたすべての光が、対向するフォトトランジスタアレイによって検出されている。しかし、タッチペンを操作して表示画面に触れた場合は、その触れた位置を通過する光が遮られることになるので、検出されるべき光がフォトトランジスタに検出されなくなる。したがってその非検出のフォトトランジスタの位置を操作位置として特定することができる。
【００２２】
また、距離情報表示部１７に表示される選択情報としては、図７に示すような情報項目からなる距離測定情報と、図３に示すような撮影画像とがある。
ここで、情報項目としては、たとえば、人物認識部が認識した人物の識別記号と、各人物に対する前記距離測定部によって測定された測定距離と、各人物に対する前記表示部を回転させる表示角度とを含む。この情報項目は、数値情報として表示される。
【００２３】
この発明の制御部１１は、上記各機能ブロック（１２から２０）を必要に応じて動作させ、この発明の機能を実現する部分であり、ＣＰＵ，ＲＯＭ，ＲＡＭ，Ｉ／Ｏコントローラ，タイマーなどからなるマイクロコンピュータを用いることができる。
また、この発明の各種機能は、ＲＯＭやＲＡＭに記憶された制御プログラムに基づいて、ＣＰＵが各種ハードウェアを動作させることにより実現される。
制御プログラムは、ＲＯＭ，ＲＡＭ，フラッシュメモリなどの半導体記憶素子の他に、ＣＤ，ＤＶＤ，ハードディスク（ＨＤＤ），メモリカードなどの記録媒体に格納されて提供される。
制御部１１は、たとえば、表示倍率決定部によって決定された表示倍率を適用して、表示すべき情報を拡大または縮小して、表示部に表示させる処理をする。
また、人物認識部１３，距離測定部１４，表示倍率決定部１５，角度測定部３１は、主として、ＣＰＵによるソフトウェア処理により実現できる。
【００２４】
撮影部１２（カメラ）は、たとえばＣＣＤカメラであり、表示装置に取り付け、表示装置の表示画面の前方を広く撮影するようにする。
たとえば、図３に示すように、表示画面の前にすわり、表示画面を見ている複数の人物がすべて映るように撮影する。多数の人が表示画面を見る状況としては、たとえば会議室で行うプレゼンテーションやテレビ会議などが考えられる。
ＣＣＤカメラで撮影された画像２１は、常にリアルタイムで記憶部２０に格納される。
また、ＣＣＤカメラは、たとえば表示装置の上部中央に固定設置すればよい。
【００２５】
表示部１６には、ＬＣＤ，ＥＬ，ＰＤＰなど種々の表示パネルを用いることができる。
また、表示部１６の表示画面には、記憶部２０に予め記憶された表示情報２４が表示される。
表示情報２４には、たとえば、プレゼンテーションで用いる文書，スライド，画像，グラフ，写真，ビデオなど種々の情報が含まれる。
【００２６】
人物認識部１３は、記憶部２０に記憶された撮影画像２１の中に映っている人物の部分を特定し、たとえばその人物の顔の位置を認識するものである。顔画像データベースを予め作成しておき、図３のような撮影画像２１に対して、人物認識部１３が顔画像データベースとのパターンマッチングを行うことによって、顔部分を識別し、図４に示すように顔の位置を特定した認識画像を生成する。
図３において、５人の人物（Ｈ１〜Ｈ５）が撮影されているが、図４は、この５人の人物の顔を識別し、顔の位置（１〜５）を特定した認識画像である。
【００２７】
距離測定部１４は、人物認識部１３で特定された顔位置の認識画像を用いて、カメラ１２と各人物との距離を測定する部分である。
たとえば、図２に示すように、カメラ１２で撮影された５人の人物（Ｈ１〜Ｈ５）について、カメラからの距離（Ｌ１〜Ｌ５）を測定する。距離の算出は、たとえば、デジタルカメラですでに利用されているコントラスト検出方式を用いて行えばよい。
【００２８】
表示倍率決定部１５は、倍率決定条件２３に予め規定された条件と距離倍率テーブル２２とを用いて、測定距離から表示部に表示される情報の表示倍率を決定する部分である。
図５に、距離倍率テーブル２２の一実施例を示す。
このテーブルは、測定距離と、表示情報の表示倍率との対応関係を規定したものである。このテーブル２２により、表示画面に表示される情報の表示倍率が決定される。
たとえば、図５において測定距離が０から４９ｃｍの場合、表示倍率を通常の１／４倍とすることを意味する。
【００２９】
一般に、表示画面に比較的近い位置に人物がいる場合は、その人物は、表示情報を見やすいので、経験的に表示を縮小しても見ることが可能な場合が多いと考えられる。
そこで、表示画面から４９ｃｍ以下にいる人物を優先する場合は、表示情報を通常の１／４の大きさに縮小して表示させるようにする。
【００３０】
また、表示画面から１５０ｃｍから１９９ｃｍ程度離れた位置にいる人物を優先する場合には、通常の表示サイズ（１倍）で表示させることを意味する。
さらに、表示画面から６００〜６９９ｃｍ程度離れた位置にいる人物が、表示情報を見やすいようにするために、表示倍率を４．５倍とし、表示情報の一部分を表示画面に拡大表示する。
【００３１】
しかし、プレゼンテーションなどに多数参加する各人物と表示部１６との距離は異なるのが通常であり、一義的に最適距離を決めることはできない。
表示部に最も近い人が見やすいように縮小表示をした場合は、遠くにすわっている人は、表示情報２４が見にくくなる。一方、最も遠い人が見やすいように情報２４の一部分を拡大表示をすれば、全員がその部分を見やすくなるが、情報２４の全体像が見えなくなる。
したがって、プレゼンテーションでの説明内容、表示される文字や図形の大きさ、特に見てほしい人のすわっている位置（測定距離）などの状況に合わせて、表示倍率を決定または変更することが好ましい。
そこで、表示倍率を決定する条件を予めいくつか用意し、どの条件を採用するかを選択できるようにしてもよい。
【００３２】
図６に、この発明で用いる倍率決定条件２３の一実施例を示す。
図６は、表示画面に表示された情報の表示倍率を決定するための条件をいくつか例示したものである。特に、表示倍率を決定するための距離情報を算出する基準を複数個定めたものである。これらの条件のうちいずれか１つが、選択されて使用される。
たとえば、条件Ｊ０１を初期設定条件として設定し、通常はこの条件Ｊ０１を使用するが、利用者の入力操作により必要に応じて他の条件に変更できるようにしてもよい。各条件は、表示倍率を決定するための距離情報を算出または選択する基準を示している。
図６の条件番号Ｊ０１は、測定された距離の中で、最大値（Lmax）を持つ測定距離を選択し、この最大値（Lmax）を、図５の距離倍率テーブル２２の距離とみなして、このテーブル２２から表示倍率を決定することを意味する。すなわち、最大の測定距離を、表示倍率を決定するための距離情報とする。
この条件Ｊ０１を採用した場合は、最も遠い位置にいる人物が、表示画面を見やすくなるような表示倍率が選択されることになる。たとえば、測定された距離のうち最大値（Ｌｍａｘ）が５ｍであった場合、図５の距離倍率テーブルから、表示倍率４．０が選択される。
【００３３】
また、条件Ｊ０３では、測定された距離の中で最も近い人物の距離（Lmin）と最も遠くにいる人物の距離（Lmax）の平均値を求め、これを倍率決定のための距離情報として採用することを意味する。
この条件Ｊ０３を採用した場合は、多数の参加者の中で、中間的な位置にいる人物が見やすくなるような倍率で表示されることになる。
【００３４】
条件Ｊ０４では、撮影画像で認識された人物全員の測定距離の平均値を選択距離情報として採用する。
条件Ｊ０１からＪ０４は、それが採用されると、自動的に測定距離から表示倍率が決定され、さらに決定された表示倍率で表示情報が表示される。
【００３５】
一方、条件Ｊ０５からＪ０７は、利用者による選択入力操作により、表示倍率を決定するものである。
条件０５では、利用者が、タッチペンを用いて、距離情報表示部１７に表示された撮影画像２１の中の人物を直接選択入力することを意味する。
たとえば、図４に示したような顔情報（Ｈ１〜Ｈ５）を距離情報表示部１７に表示させておき、利用者がタッチペンを用いて所望の顔情報の位置をポイントする。ポイントされた位置は、タッチパネルのＬＥＤから出る光が遮られることにより特定される。
【００３６】
すなわち、人物認識部１３の処理により、顔情報の存在位置はすでにわかっているので、受光できなかったフォトトランジスタの位置から、ポイントされた位置がどの顔情報の領域内にあるかがわかる。
たとえば、利用者によってポイントされた位置が顔情報Ｈ２の位置であった場合、その顔情報の人物Ｈ２が、表示倍率決定に利用されることを意味する。そしてこの人物Ｈ２の測定された距離情報と対応する倍率が、距離倍率テーブル２２を用いて選択され、表示倍率として採用される。
【００３７】
このような条件０５は、通常は条件０１〜０４のうちいずれかを用いて表示倍率を決定するが、ある特定の人物に、現在表示している画面を特に見てほしい場合に、その特定の人物に適切な倍率で情報を表示させようとする場合に有効である。
あるいは、現在表示されている画面の文字が小さいため、特定の人物から見にくいという異議があった場合、条件０５を利用すればよい。この場合、距離情報表示部１７に表示されている撮影画像２１の中のその特定の人物の部分をタッチペンで選択入力することにより、容易な操作をするだけで、その特定の人物が見やすいような倍率で表示し直すことができる。
【００３８】
条件Ｊ０６は、利用者が、距離情報を直接選択入力することを意味する。
この場合は、距離情報表示部１７に、図７に示すような測定距離情報を表示させ、所望の認識人物の識別記号部分あるいは測定距離の数値部分をタッチペンでポイントする。ポイントされた識別人物記号に対応する測定距離または直接ポイントされた測定距離が倍率決定のための距離に採用される。この場合も、図５のテーブル２２を用いて、表示倍率が決定される。
これによれば、利用者が実際の測定距離の数値を直接自分の目で確認しながら、現在表示部に表示されている情報２４に対してその利用者が適切と思う距離を、その都度選択することができる。
なお、図７の表示角度は、後述する表示部の角度変更処理で用いる情報である。
【００３９】
条件Ｊ０７は、利用者が、表示倍率を選択または直接入力することを意味する。この条件が選択された場合は、表示倍率選択画面や数値を直接入力する画面を、距離情報表示部１７に表示させ、タッチペンで表示された倍率候補をポイントするか、あるいは、キーボードやテンキーを使って利用者が倍率数値を直接入力する。
この場合は、図５のテーブルを参照せずに、表示倍率を決定することができる。
以上のように倍率決定条件２３は種々の条件が考えられ、図６に示したもの以外の条件を適用してもよい。
また、事後的に、予め用意された条件（Ｊ０１〜Ｊ０７）以外に、利用者が新たに倍率決定条件２３そのものを作成してもよい。
【００４０】
さらに、図５に示した距離倍率テーブル２２も、これ以外の基準を採用してもよく、利用者が、プレゼンテーションを行う会議室の広さや、参加者の人数、その他接続される表示部の画面の大きさなどの基準に基づいて、適宜距離と倍率の関係を設定変更できるようにしてもよい。
【００４１】
距離情報表示部１７は、上記のようにこの発明の表示装置の利用者のために必要な情報を表示するもので、たとえば、図３や図４のような画像や、図７の測定距離情報を表示するものである。したがって、プレゼンテーションの参加者などが見る表示部１６とは別の表示画面を用いることが好ましいが、表示部１６の一部領域、たとえば、右下の小さな領域に別ウィンドウを設けて、このウィンドウを距離情報表示部１７としても利用してもよい。この別ウィンドウは、利用者の特定の操作により、表示又は消去ができるようにすることが好ましい。
【００４２】
表示角度変更部１９は、主として、角度測定部３１と、変更角度指示部３２と、表示画面回転部３３とから構成される。
たとえば、会議室でプレゼンテーションを行うとき、表示部１６と参加者（Ｈ１〜Ｈ５）の相対位置が、図２に示すように設定され、５人の参加者が表示部の前にすわっていたとする。このとき、表示角度変更部１９は、利用者の指示入力に基づいて、図８に示すように、表示部１６を回転させる部分である。
【００４３】
変更角度指示部３２は、表示部の回転角度を指示する部分であり、表示画面回転部３３は、指示された回転角度に対応する角度だけ、表示部１６を水平方向に回転させる部分である。
表示画面回転部３３は、たとえばカメラが取付けられた表示部１６の中央部分に回転軸を有する回転モータからなり、この回転軸を中心として、水平方向の左側または右側に、所定角度だけ表示画面を回転させる。
【００４４】
角度測定部３１は、人物認識部１３によって認識された各人物の位置に対して、表示画面に垂直な水平垂線からの角度を求める部分である。図２において、破線で示した直線が表示画面に対する水平垂線である。
図２において、人物Ｈ３と、カメラ１２との直線距離Ｌ３を示す直線と、水平垂線とのなす角度が測定される表示角度に相当する。
また、図７に示した表示角度が、角度測定部３１によって測定された角度に相当する。
図７には、認識された５人の参加者の表示角度（水平垂線からの角度）が示されている。
【００４５】
図７の表示角度は、図２の水平垂線から時計の回る方向と反対方向の角度をプラスとし、時計の回る方向と同一方向の角度をマイナスとして示している。
図７において、たとえば、人物Ｈ１は、水平垂線から時計の回転方向と反対方向に３０度の角度だけずれた位置に、すわっていることを意味する。
【００４６】
角度変更指示部３２は、距離情報表示部１７に表示された図７のような測定距離情報の中の表示角度を指示するものであり、たとえば、利用者がタッチペンを用いて、表示角度の数値をポイントすることにより、変更すべき回転角度が指示入力される。指示入力された角度は、表示画面回転部３３に与えられ、その角度に基づいて、表示部を回転させる。
あるいは、条件Ｊ０５で説明したように、図３や図４のような撮影画像２１を表示させた状態で、タッチペンで人物の位置をポイントすることにより、回転角度を指示入力するようにしてもよい。
【００４７】
たとえば、図７を表示している状態で、人物Ｈ３の表示角度「＋１５」がポイントされた場合、表示部１６を時計と反対方向に、１５度だけ回転させることを意味し、表示画面回転部３３は、図８に示すような位置関係となるまで、表示部１６を回転させる。このとき、表示画面は、人物Ｈ３に対して正面になるような方向となる。
このように回転させれば、人物Ｈ３の者にとって最も見やすい方向に表示画面が向くことになる。
【００４８】
また、表示角度を変更するとき、単に表示部１６を回転させるだけでなく、図７に示された測定距離と連動させ、同時に表示倍率も変更するようにしてもよい。すなわち、図７において、人物Ｈ３の人物記号「Ｈ３」がポイントされた場合、その人物Ｈ３に対応する測定距離「２．０ｍ」と、対応する表示角度「＋１５度」とを抽出し、抽出された測定距離から、表示倍率を決定し、さらに抽出された表示角度から表示部を回転させる方向と角度を決定する。
そして、図８のように、表示部を回転させるのとほぼ同時に、表示画面に表示されている情報の表示倍率を変更して表示させる。
【００４９】
たとえば、図８に示す状態では、人物Ｈ３にとって最も見やすい角度に表示部の位置が変更され、かつ人物Ｈ３にとって最も見やすいと考えられる表示倍率で情報が画面上に表示されることになる。
したがって、表示角度の変更と表示倍率の変更とを、認識された特定の人物の位置に対応させて実行することにより、プレゼンテーションの表示内容を特に見てもらいたい特定の人物にとって、適切な状態で、情報表示をすることができる。
【００５０】
＜実施例１＞
以下に、この発明の表示装置の表示倍率決定処理の一実施例について説明する。
図９に、この発明の実施例１の表示倍率決定処理のフローチャートを示す。
図９のステップＳ１において、必要な条件やデータの初期設定を行う。たとえば、倍率決定条件の選択，距離倍率テーブルの変更などである。
倍率決定条件が１つしかない場合は、それを選択すればよいが、図６のように複数個ある場合は、予め決められた条件のまま使用するか、またはどれを選択すべきかを利用者に入力してもらえばよい。
距離倍率テーブル２２の距離と倍率の関係を変更したい場合は、利用者が直接、その変更したい距離や倍率の数値を入力するようにすればよい。
【００５１】
ステップＳ２において、カメラ１２で、画像を撮影し、記憶部２０に記録する。
ステップＳ３において、撮影画像２１を用いて、人物認識を行う。ここでは、撮影された画像の中に、人物らしき画像があればそれを切り出し、その切り出された画像から顔情報を生成し、顔の位置を認識する。
顔位置の認識は、たとえば、ニューラルネットワークを利用したパターンマッチング処理を用いればよい。
具体的には、多数の顔画像を記憶したデータベースを備え、撮影画素数が１０００×１０００画素の場合、たとえば１００画素×１００画素の大きさの領域を一単位として切り出し、この一単位の領域内の画像と顔画像データベースとのパターンマッチングを行う。上記一単位のマトリックス領域（１００×１００）を、撮影画像のＸ方向およびＹ方向に移動させ、異なるマトリックス領域内の画像に対して、順次パターンマッチングを行う。
【００５２】
パターンマッチングにより、顔画像データベースの画像と一致可能な画像を有するマトリックス領域があった場合は、そのマトリックス領域を、顔位置と判定する。
このようなパターンマッチングによる顔位置の判定を、撮影画像２１の全体について行い、マッチングしたマトリックス領域の位置を記憶する。
たとえば、図２に示すように５人の人物（Ｈ１〜Ｈ５）が位置している場合、図３のような撮影画像２１が撮影され、図４のような５つの顔位置（１〜５）があることが判定される。
【００５３】
ステップＳ４において、カメラ１２の位置から各顔位置までの距離を測定する。
たとえば、図２の場合は、カメラから５人の人物までの距離（Ｌ１〜Ｌ５）が測定される。この距離の測定は、「コントラスト検出方式」と呼ばれる自動焦点技術を利用することができる。
具体的には、カメラにレンズ移動手段が備えられ、検出した顔位置の画像のコントラストが最も高くなるようにレンズを移動させ、最もコントラストの高いレンズの位置から、カメラと各人物の顔位置との距離を算出する。
たとえば、カメラのレンズ位置を前後に移動させ、それぞれのレンズ位置で画像を撮影する。次に、撮影した画像ごとに、すでに検出されていた顔位置部分のマトリックス領域内において、隣接する画素の輝度の差を累計する。輝度差の累計値を、レンズを移動させて撮影した画像間で比較する。
【００５４】
この比較で、最も累計値の高い画像に対応するレンズ位置が、最もコントラストが高い位置であるので、そのレンズ位置を、撮影対象（顔）に対して最も合焦した位置とみなす。さらに、合焦した位置とみなすレンズ位置の情報から、カメラから撮影対象（顔）までの距離を算出することができる。
たとえば、このような距離測定を、５人の人物（Ｈ１〜Ｈ５）が存在する図２および図３の画像に適用した場合、図７に示すような５つの測定距離が算出される。
【００５５】
ステップＳ５において、予め選択された倍率決定条件に基づいて、算出された測定距離の中から表示倍率決定のための距離情報を選択する。あるいは、測定距離を用いて、表示倍率決定のための距離情報を算出する。
たとえば、図６の条件Ｊ０１が選択されている場合は、算出された測定距離のうち、最も長いもの（最大値：Ｌｍａｘ）を表示倍率決定のための距離情報として選択する。
図７の５つの測定距離を考えると、条件Ｊ０１の場合は、人物Ｈ３の測定距離２．０ｍが、表示倍率決定のための距離情報として選択される。
また、図６の条件Ｊ０３が選択されている場合、測定距離の最大値（Ｌｍａｘ）と最小値（Ｌｍｉｎ）の平均値を計算する。
図７の場合、Ｌｍａｘ＝２．０ｍ，Ｌｍｉｎ＝０．５ｍであるので、その平均値（２＋０．５）／２＝１．２５ｍが、表示倍率決定のための距離情報として算出される。
【００５６】
ステップＳ６において、表示倍率を決定する。
ここでは、図５に示したような距離倍率テーブル２２を用いて、ステップＳ５で選択または算出された距離に対応する倍率を、表示倍率として選択する。
たとえば、条件Ｊ０１の場合に選択された距離（２．０ｍ）に対しては、倍率２．０が表示倍率として選択される。また、条件Ｊ０３の場合に算出された距離（１．２５ｍ）に対しては、倍率１／２が表示倍率として選択される。
【００５７】
ステップＳ７において、決定された表示倍率を用いて、表示部１６に表示されている情報２４の表示倍率を変更する。
たとえば、表示倍率２．０が選択されたとき、表示情報２４を２倍に拡大し、表示すべき情報２４の一部分のみを、表示部１６に表示させる。決定された表示倍率が１／２の場合、表示情報を１／２に縮小して表示部１６に表示させる。以後、ステップＳ２へ戻り、同様の処理を繰り返す。
以上の処理により、複数の撮影対象者の位置を考慮して、表示部に表示される情報の表示倍率を、適切かつほぼ自動的に調整することができる。
【００５８】
＜実施例２＞
ここでは、タッチパネルを利用して、表示倍率を決定するための距離を選択する実施例について説明する。
実施例２では、距離情報表示部１７に撮影画像２１を表示させ、タッチパネルを利用した利用者の選択入力がない場合は、図９の実施例１と同様の処理により表示倍率を決定するが、タッチパネルを利用して、利用者が撮影で認識された人物の顔位置を選択入力した場合は、その人物の顔位置に対応する距離を、表示倍率とする。
【００５９】
図１０に、この発明の実施例２の表示倍率決定処理のフローチャートを示す。
図１０において、ステップＳ１からＳ７の各ブロックの処理は、図９の実施例１と同一である。
図１０のステップＳ１１，Ｓ１２，Ｓ１３が、実施例１と異なるので、以下に、この異なる処理について説明する。
【００６０】
ステップＳ１１において、ステップＳ２で撮影された画像２１を、距離情報表示部１７の画面に表示させる。たとえば、図３に示した撮影画像２１を表示させる。あるいは、図４に示したような顔位置のみからなる画像を表示してもよい。
利用者は、距離情報表示部１７に表示された画像を見て、変更させる表示倍率が適切であると考える人物あるいはその顔位置を、タッチペンを用いて、選択入力する。
【００６１】
ステップＳ１２において、そのような利用者のタッチ入力があるか否か、チェックする。タッチ入力があった時は、ステップＳ１３へ進み、なかった時はステップＳ５へ進む。
たとえば、図３のような画像が表示されている状態で、利用者が、タッチペンで人物Ｈ３をポイントしたとすると、タッチパネルの位置検出機能によって、利用者の選択入力があったことがわかる。
【００６２】
ステップＳ１３において、利用者によって選択された人物の顔位置に対応する距離を選択する。
ここで、ステップＳ３において、すべての顔位置がすでにわかっているので、利用者がタッチ入力した位置が、どの人物の顔位置であるかがわかる。
また、タッチ入力した位置の人物がわかれば、そのカメラから人物の顔位置までの距離は、ステップＳ４ですでに測定している距離から求められる。したがって、利用者がタッチ入力した人物の顔位置の距離は、ステップＳ４の距離から求められ、この距離を表示倍率決定のための距離情報として選択することができる。
この後、ステップＳ１３で選択された距離が、ステップＳ６の表示倍率の決定のために用いられる。
【００６３】
以上のように、実施例２では、予め初期設定された条件に基づくのではなく、利用者の選択入力により、表示倍率を決定する。
特に、利用者は、撮影画像を見ながら、その画像に対して容易な選択入力をするだけで、表示倍率を決定することができ、利用者に操作負担をかけることはない。
【００６４】
上記説明では、距離情報表示部１７に、図３のような撮影画像２１を表示させて、利用者がタッチ入力する実施例を説明したが、距離情報表示部１７に、図７に示すような測定距離情報を表示させて、利用者が、この測定距離の数値、あるいは認識人物の識別記号部分をタッチ入力するようにしてもよい。
たとえば、利用者が測定距離の数値「１．７」の上をタッチペンでポイントした場合には、測定距離「１．７ｍ」を、表示倍率決定のための距離としてもよい。
【００６５】
＜実施例３＞
ここでは、タッチパネルを利用して、表示倍率を決定するための距離の選択と、表示部の回転角度を選択する実施例について説明する。
すなわち、実施例３では、利用者がタッチパネルを利用して、距離情報表示部１７に表示された表示項目を選択する入力を１回することにより、表示倍率を決定するための距離の選択と表示部の回転角度の選択とを行う。
【００６６】
図１１に、この発明の実施例３の表示倍率決定処理のフローチャートを示す。
ここで、ステップＳ１からＳ７の各ブロックの処理は、図９の実施例１と同一である。
以下、実施例１と異なるステップＳ２１からＳ２６の処理について、説明する。
【００６７】
ステップＳ２１において、顔位置の表示角度を測定する。
表示角度は、ステップＳ３で求めた顔位置の情報を利用して求める。図２に示した水平垂線と、顔位置とカメラまでの距離を求めた直線とのなす角度が、表示角度に相当する。
測定した表示角度は、図７に示したように、測定距離情報に含めて記憶する。
図２のような５人（Ｈ１〜Ｈ５）の参加者の表示角度は、たとえば図７に示すような数値となる。
【００６８】
ステップＳ２２において、測定距離情報（選択情報）を、距離情報表示部１７の画面に表示する。ここでは、表示角度も含め、図７に示すような情報が表示される。
利用者は、図７のような測定距離情報を見て、どの人物に合わせて、表示倍率と表示角度を調整するかを考えることができる。ただし、図７のような数値情報が表示された場合は、参加者の実際の距離や表示角度がわかる反面、リストに表示された数値情報が参加者のだれのデータであるかを直感的に把握することが難しい。したがって、実施例２と同様に、図７の数値情報を表示する代わりに、視覚的に人物を把握するために、図３に示したような撮影画像２１を表示してもよい。あるいは、撮影画像２１に、図７の数値情報を重ねて同じ画面内に表示してもよい。また、撮影画像２１の各人物像からカメラ位置方向に直線を表示し、それらの各直線の上あるいは直線の近傍に、その人物の測定距離と表示角度の数値を表示してもよい。
利用者は、表示された測定距離情報を確認して、表示された各表示項目のうち、いずれかをタッチペンでポイントする。ポイントされた表示項目の位置が、表示倍率および回転角度を決定するための情報となる。
【００６９】
ステップＳ２３において、距離情報表示部１７に表示された表示項目のいずれかを、利用者がタッチ入力したか否かチェックする。
たとえば、表示後一定時間内にタッチ入力がなかったときは、利用者は表示倍率等を変更する意思はないと考えて、ステップＳ５へ進み、予め設定された条件に基づいて表示倍率の決定をする。
【００７０】
一方、タッチパネルでタッチ入力がされたことを確認した場合は、ステップＳ２４へ進む。
たとえば、表示された図７の測定距離情報のうち、認識人物の識別記号のうち、「Ｈ４」の部分がポイントされた場合は、人物Ｈ４が選択されたことを意味し、この人物Ｈ４が見やすいような表示倍率と表示角度に変更するために、ステップＳ２４とＳ２５を実行する。この場合、人物Ｈ４を選択したことは、測定距離として１．７ｍが選択され、表示角度として−１８度が選択されたことを意味する。
【００７１】
また、図７において、測定距離の数値部分がポイントされた場合は、その数値のみが選択され、ポイントされた測定距離に対応する倍率に、表示倍率を変更することを意味し、表示角度は変更しない。すなわち、表示部の回転（ステップＳ２６）は行わず、表示倍率の変更に基づいて情報の拡大または縮小のみを行う。
また、図７において、表示角度の数値部分がポイントされた場合は、その表示角度の数値のみが選択され、ポイントされた表示角度に対応した表示部の回転のみを行い、表示倍率の変更は行わないことを意味する。すなわち、表示部に表示された情報の大きさはそのままで、選択された角度だけ表示部を回転させるようにする。
このように、図７の測定距離情報を表示している場合は、ポイントする位置によって、表示倍率と表示角度の両方を変更させるか、あるいはどちらか一方のみを変更させるかを、利用者が選択することができる。
一方、図３の撮影画像２１を表示させている場合は、人物の部分を１度ポイントするだけで、表示倍率および回転角度の両方を同時に変更することができる。
【００７２】
ステップＳ２４において、選択された表示項目に対応する表示倍率を選択する。
たとえば、図７において、人物「Ｈ２」の識別記号部分がポイントされた場合は、その人物Ｈ２に対応する測定距離「１．０ｍ」が選択され、さらに、図５の距離倍率テーブル２２から、この距離（１．０ｍ）に対応する倍率「１／２」が選択される。
【００７３】
図７の測定距離の数値部分が直接ポイントされた場合は、そのポイントされた測定距離に対応する倍率を、距離倍率テーブル２２から選択する。
ただし、図７の表示角度の数値部分がポイントされた場合は、ステップＳ２４の処理を実行しないか、あるいは現在設定されている表示倍率と同じ倍率を選択する。
【００７４】
ステップＳ２５において、選択された表示項目に対応する回転角度を選択する。
たとえば、図７において、人物「Ｈ５」の識別記号部分がポイントされた場合は、人物Ｈ５に対応する表示角度「−２４度」が、回転角度として選択される。
図７の表示角度の数値部分が直接ポイントされた場合は、そのポイントされた数値がそのまま回転角度として選択される。ただし、図７の測定距離の数値部分がポイントされた場合は、ステップＳ２５の処理を実行しないか、あるいは、現在の回転角度のまま変更しない。
【００７５】
ステップＳ２６において、選択された回転角度に基づいて、表示部の回転を行う。
たとえば、人物「Ｈ３」の表示角度「＋１５度」が選択された場合は、図８に示したように、表示部１６が回転させられる。ただし、回転角度が変更されていないときは、表示部の回転は行わない。
【００７６】
ステップＳ７において、ステップＳ２４で選択された表示倍率に基づいて、表示部に表示される情報の拡大または縮小表示を行う。ただし、ステップＳ２４で倍率に変更のない場合は、表示状態は変更されない。
【００７７】
以上のように、この実施例３では、利用者の１回のタッチ入力により、表示倍率と表示角度の両方の選択をすることができる。
また、タッチ入力の際にポイントする表示項目の位置によって、表示倍率のみを変更するか、表示角度のみを変更するか、あるいは、これらの両方を変更するかを、利用者の意思で選択することができる。
また、実施例３においては、多人数が参加するプレゼンテーション等において、利用者が適切と考える表示倍率と表示部の表示角度に調整することができる。
【００７８】
なお、図１１のステップＳ２３で、タッチ入力がない場合は、ステップＳ５へ進み、実施例１と同様に予め定められた倍率決定条件に基づいて、表示倍率のみを決定するようにする実施例を示したが、表示角度についても予め図６と同様な角度決定条件を設定しておき、この角度決定条件のいずれかに基づいて、表示部を回転させるようにしてもよい。
【００７９】
たとえば、図６の条件Ｊ０１の測定距離の最大値（Ｌｍａｘ）を選択するようにした場合は、測定距離が最大値（Ｌｍａｘ）である人物の表示角度を、回転角度に採用して、表示部をその回転角度だけ回転するようにしてもよい。この場合は自動的に、測定距離が最大値（Ｌｍａｘ）の人物に対応した表示倍率で情報を表示し、かつその人物がいる方向に表示部が回転されることになる。
【００８０】
＜実施例４＞
ここでは、表示部１６にデュアル・ビュー・ディスプレイを用いた実施例について説明する。
デュアル・ビュー・ディスプレイは、１つの表示画面に複数の画像情報を同時に表示するディスプレイであり、たとえば２つの異なる画像（Ａ，Ｂ）を同時表示させた場合、表示部の表示面に対してある視野角方向にいる参加者は画像Ａを見ることができ、別の視野角方向にいる参加者はもう一方の画像Ｂを見ることができる。
逆に、画像Ａを見ている参加者は画像Ｂは見えず、画像Ｂを見ている参加者は画像Ａは見えない。
【００８１】
すなわち、表示部の表示画面に対して異なる視野角方向から表示部を見た場合に、異なる情報が視認できるように、異なる画像が、表示部に同時に表示される。
デュアル・ビュー・ディスプレイについては、たとえば、特開２００５−２８４５９２号公報に記載されたものを利用できる。
【００８２】
したがって、デュアル・ビュー・ディスプレイの場合、情報を表示する表示部は１つであるが、表示部の表示画面を見る方向（視野角方向）によって異なる情報が表示されているように見える。
このようなデュアル・ビュー・ディスプレイを採用すれば、たとえば、図２のように参加者（Ｈ１〜Ｈ５）がいる状態で、左側の３人の参加者グループ（Ｈ１，Ｈ２，Ｈ３）が見る表示情報（情報Ａと呼ぶ）と、右側の２人の参加者グループ（Ｈ４，Ｈ５）が見る表示情報（情報Ｂと呼ぶ）とを異ならせることができる。
特に、情報Ａと情報Ｂとを、同一の情報としたとしても、情報Ａと情報Ｂの表示倍率を異ならせて表示することができる。
【００８３】
図１２に、この発明の実施例４における表示部と撮影対象との関係の説明図を示す。
図１２において、水平垂線の左側にいる参加者グループ（Ｈ１，Ｈ２，Ｈ３）は、表示部１６に情報Ａが見えており、水平垂線の右側の参加者グループ（Ｈ４，Ｈ５）は、表示部１６に情報Ｂが見えているものとする。
ここで、撮影部１２としては、２台のカメラ（Ａ，Ｂ）を設け、カメラＡで、左側の参加者グループ（Ｈ１，Ｈ２，Ｈ３）を含む視野角方向を撮影し、カメラＢで、右側の参加者グループ（Ｈ４，Ｈ５）を含む視野角方向を撮影する。
図１２のように、左上方向であるカメラＡの撮影方向と情報Ａが見える視野角方向（表示方向）とが一致し、右上方向であるカメラＢの撮影方向と情報Ｂが見える視野角方向（表示方向）とが一致するように、カメラＡとＢが設置される。
【００８４】
そして、カメラＡとカメラＢで撮影した画像ごとに、図９に示した一連の処理（ステップＳ２〜Ｓ７）を行い、カメラＡで撮影した画像に対して適切な表示倍率Ａを決定して、その決定した表示倍率Ａで情報Ａの表示を行い、カメラＢで撮影した画像に対して適切な表示倍率Ｂを決定して、その決定した表示倍率Ｂで情報Ｂの表示を行う。
【００８５】
ここで、表示倍率Ａと表示倍率Ｂは、それぞれのカメラで撮影された画像の中にいる人物の数，位置および測定距離によって適切な値を決定する。
すなわち、表示倍率の決定は、各カメラによって撮影された画像ごとに行われ、それぞれの撮影画像に含まれる人物の位置等を考慮して、それぞれの画像の撮影方向と一致する視野角方向に対して表示される情報の表示倍率が、別々に決定される。
【００８６】
たとえば、左側の視野角方向に多数の人物がおり、かつより遠くに人物が存在する場合は、その最も遠くにいる人が見やすいように、情報Ａの表示倍率Ａをより大きく設定し、情報Ａを拡大表示させる。
一方、右側の視野角方向には少人数の人物が表示部の比較的近くにいる場合には、情報Ｂの表示倍率Ｂを基準よりも小さく設定し、情報Ｂを縮小表示させる。
このように、同一の表示部１６に表示される２つの情報（Ａ，Ｂ）の表示倍率（Ａ，Ｂ）を、それぞれの方向にいる参加者の状態に基づいて別々に調整すれば、表示部を見ている視野角方向が異なる人物のグループごとに、より適切な情報表示をさせることができる。
【図面の簡単な説明】
【００８７】
【図１】この発明の表示装置の一実施例の構成ブロック図である。
【図２】この発明の表示部と撮影対象との関係の一実施例の説明図である。
【図３】この発明の撮影画像の一実施例の説明図である。
【図４】この発明の撮影画像から作成した顔画像の説明図である。
【図５】この発明の距離倍率テーブルの一実施例の説明図である。
【図６】この発明の倍率決定条件の一実施例の説明図である。
【図７】この発明の測定距離情報の一実施例の説明図である。
【図８】この発明の表示部に対する表示角度変更処理の一実施例の説明図である。
【図９】この発明の実施例１の表示倍率決定処理のフローチャートである。
【図１０】この発明の実施例２の表示倍率決定処理のフローチャートである。
【図１１】この発明の実施例３の表示倍率決定処理のフローチャートである。
【図１２】この発明の実施例４の表示部と撮影対象との関係の説明図である。
【符号の説明】
【００８８】
１１  制御部
１２  撮影部
１３  人物認識部
１４  距離測定部
１５  表示倍率決定部
１６  表示部
１７  距離情報表示部
１８  選択入力部
１９  表示角度変更部
２０  記憶部
２１  撮影画像
２２  距離倍率テーブル
２３  倍率決定条件
２４  表示情報
３１  角度測定部
３２  変更角度指示部
３３  表示画面回転部
【図１】
2009063636.tif 000003
【図２】
2009063636.tif 000004
【図３】
2009063636.tif 000005
【図４】
2009063636.tif 000006
【図５】
2009063636.tif 000007
【図６】
2009063636.tif 000008
【図７】
2009063636.tif 000009
【図８】
2009063636.tif 000010
【図９】
2009063636.tif 000011
【図１０】
2009063636.tif 000012
【図１１】
2009063636.tif 000013
【図１２】
2009063636.tif 000014